(57)【要約】【課題】前後に複数重ねて設けられる装飾部材をベース部材に容易に取り付けることができるとともに装飾部材の位置決めも容易である遊技機を提供する。【解決手段】装飾物１００は、前側装飾部材１０１と、これより後方に設けられ、かつ前後に複数重ね合された複数の装飾部材１０２〜１０５と、複数の装飾部材の後方に設けられたベース部材１１０とを有し、前側装飾部材１０１はその後面に突出部１０６を有し、装飾部材には、それぞれ挿通孔が同軸に設けられ、これら挿通孔に突出部１０６が挿通され、突出部１０６の先端部がベース部材１１０に取り付けられることで、複数の装飾部材が前側装飾部材１０１とベース部材１１０とによって挟み付けられているので、装飾部材をベース部材１１０に容易に取り付けることができるとともに装飾部材の重なり方向と交差する方向の装飾部材の位置決めも容易である。【選択図】図２
2018201754.tif 000002
【特許請求の範囲】
【請求項１】
装飾物を備えた遊技機であって、
前記装飾物は、最前部に設けられた前側装飾部材と、
この前側装飾部材より後方に設けられ、かつ前後に複数重ね合された複数の装飾部材と、これら複数の装飾部材の後方に設けられたベース部材とを有し、
前記前側装飾部材はその後面に後方に向けて突出する突出部を有し、
複数の前記装飾部材には、それぞれ挿通孔が同軸に設けられ、
同軸に設けられたそれぞれの前記挿通孔に前記突出部が挿通され、
前記突出部の先端部が前記ベース部材に取り付けられることで、複数の前記装飾部材が前記前側装飾部材と前記ベース部材とによって挟み付けられていることを特徴とする遊技機。
【請求項２】
光源を備え、
前記前側装飾部材が、不透明または前記前側装飾部材の後方を視認困難な程度の透光性を有し、
前記装飾部材が前記光源の光が照射されるレンズ部材であることを特徴とする請求項１に記載の遊技機。
【請求項３】
前記ベース部材に前記光源としての発光素子を有する基板が設けられ、前記突出部の先端部が前記基板を貫通して前記ベース部材に取り付けられていることを特徴とする請求項２に記載の遊技機。
【発明の詳細な説明】
【技術分野】
【０００１】
本発明は、装飾物を備えた遊技機に関する。
【背景技術】
【０００２】
従来、スロットマシンなどの遊技機において、遊技機の前面部に、遊技の演出等を行う照明装置が設けられている（例えば特許文献１〜３参照）。近年の遊技機における照明装置は、複数のＬＥＤが実装されたＬＥＤ基板の他、レンズや装飾物を備えている。例えば、装飾を施した装飾パネルにレンズを設けたり、レンズの外形を適宜変形して、レンズ自体に装飾性を持たせたりしている。
【先行技術文献】
【特許文献】
【０００３】
【特許文献１】特開２０１４−１９３３３６号公報
【特許文献２】特開２００９−１８０７１号公報
【特許文献３】特開２０１３−１２６４６７号公報
【発明の概要】
【発明が解決しようとする課題】
【０００４】
ところで、遊技機の前面部に、装飾が施されたレンズ等の装飾部材を前後に複数重ねて設ける場合、これら装飾部材をねじ等に止着材によってベース部材に取り付けると、装飾部材の個数が増加するほど止着材の本数が増加するばかりか、装飾部材の組付けに手間がかかってしまという問題がある。
また、複数の装飾部材の重なり方向と交差する方向の位置決めも容易ではないという問題がある。
【０００５】
本発明は、前記事情に鑑みてなされたもので、前後に複数重ねて設けられる装飾部材をベース部材に容易に取り付けることができるとともに装飾部材の位置決めも容易である遊技機を提供することを目的とする。
【課題を解決するための手段】
【０００６】
前記目的を達成するために、本発明の遊技機は、装飾部を備えた遊技機であって、
前記装飾物は、最前部に設けられた前側装飾部材と、
この前側装飾部材より後方に設けられ、かつ前後に複数重ね合された複数の装飾部材と、これら複数の装飾部材の後方に設けられたベース部材とを有し、
前記前側装飾部材はその後面に後方に向けて突出する突出部を有し、
複数の前記装飾部材には、それぞれ挿通孔が同軸に設けられ、
同軸に設けられたそれぞれの前記挿通孔に前記突出部が挿通され、
前記突出部の先端部が前記ベース部材に取り付けられることで、複数の前記装飾部材が前記前側装飾部材と前記ベース部材とによって挟み付けられていることを特徴とする。
【０００７】
本発明においては、複数の装飾部材は、それらの挿通孔に、前側装飾部材の後面に設けられた突出部が挿通され、突出部の先端部がベース部材に取り付けられることで、複数の装飾部材が前側装飾部材とベース部材とによって挟み付けられているので、前後に重ね合された複数の装飾部材をベース部材に容易に取り付けることができるとともに複数の装飾部材の重なり方向と交差する方向の装飾部材の位置決めも容易である。
【０００８】
また、本発明の前記構成において、光源を備え、
前記前側装飾部材が、不透明または前記前側装飾部材の後方を視認困難な程度の透光性を有し、前記装飾部材が前記光源の光が照射されるレンズ部材であってもよい。
【０００９】
このような構成によれば、装飾部材であるレンズ部材が光源の光によって光るとともに、前側装飾部材が不透明または前側装飾部材の後方を視認困難な程度の透光性を有しているので、前側装飾部材の後面から後方に向けて突出する突出部およびこの突出部が挿通される挿通孔は前側装飾部材によって遊技機の前面部の前方から見て隠されるか視認困難となる。したがって、前面部の見栄えを向上させることができる。
【００１０】
また、本発明の前記構成において、前記ベース部材に前記光源としての発光素子を有する基板が設けられ、前記突出部の先端部が前記基板を貫通して前記ベース部材に取り付けられていてもよい。
【００１１】
このような構成によれば、ベース部材に発光素子を有する基板が設けられているので、ベース部材の前側において前後に複数重ねられて設けられているレンズ部材を発光素子の光によって確実に光らせることができる。
また、の後面にある突出部の先端部が基板を貫通してベース部材に取り付けられているので、前側装飾部材に遊技者等から衝撃が加えられても、この衝撃が直接基板に作用しない。したがって、この衝撃に起因する基板の破損等を抑制できる。
【発明の効果】
【００１２】
本発明によれば、複数の装飾部材の挿通孔に、前側装飾部材の後面に設けられた突出部が挿通され、その先端部がベース部材に取り付けられることで、複数の装飾部材が前側装飾部材とベース部材とによって挟み付けられているので、前後に重ね合された複数の装飾部材をベース部材に容易に取り付けることができるとともに複数の装飾部材の重なり方向と交差する方向の装飾部材の位置決めも容易である。
【図面の簡単な説明】
【００１３】
【図１】本発明の実施の形態に係る遊技機の一例を示すもので、その斜視図である。
【図２】同、照明装置の分解斜視図である。
【図３】同、前側装飾部材を後面側から見た斜視図である。
【図４】同、照明装置の左右中央部における側断面図である。
【図５】同、照明装置の左端部近傍における側断面図である。
【図６】同、重ね合される透光性装飾部材の斜視図である。
【図７】同、ベース部材を斜め前面側から見た斜視図である。
【図８】同、照明装置を斜め後面側から見た斜視図である。
【図９】同、照明装置と取付ベースを示す分解斜視図である。
【図１０】同、透光性装飾部材群を斜め前方から見た斜視図である。
【図１１】同、透光性装飾部材群を斜め後方から見た斜視図である。
【図１２】同、照明装置を斜め下方から見た斜視図である。
【発明を実施するための形態】
【００１４】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１５】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１６】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１７】
図１に示すように、上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
【００１８】
また、上扉３０の上部中央には、表示窓３１の上方に表示窓３２が設けられている。この表示窓３２は上扉３０に設けられた液晶パネルを有する画像表示装置の表示面を見るために設けられたものであり、この画像表示装置では、その表示面に遊技機における演出用の画像が表示されるようになっている。なお、画像表示装置は、演出用の画像を表示できるものであれば、液晶ディスプレイ以外のディスプレイであってもよい。
また、上扉３０の表示窓３２の上部には、報知や演出などを行うための照明装置３４が設けられ、表示窓３２と表示窓３１との間には報知や演出などを行うための横長の照明装置３６が設けられている。
また、上扉３０の左右両側部には、報知や演出などを行うための照明装置３７が合計４個設けられている。
【００１９】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００２０】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００２１】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２２】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うための照明装置４６が設けられている。
【００２３】
前記照明装置３４は、図２に示すように、装飾物１００を備えている。
この装飾物１００は、遊技者から見て最前部（図２おいて左斜め下）に設けられた不透明または後方を視認困難な程度の透光性を有する前側装飾部材１０１と、この前側装飾部材１０１より後方に設けられ、かつ前後に重ね合された透光性を有する複数の透光性装飾部材（レンズ部材）１０２〜１０５と、ベース部材１１０とを有している。このベース部材１１０の前面に光源としてのＬＥＤ（発光素子）１４０ａが実装されたＬＥＤ基板（発光素子基板）１４０が設けられている。このように照明装置３４は、装飾物１００とＬＥＤ１４０ａが実装されたＬＥＤ基板１４０と備えている。さらに、照明装置３４は後述するようにＬＥＤ１６３ａが実装されたＬＥＤ基板１６３を備えている。
【００２４】
前側装飾部材１０１は、図２および図３に示すように、ベース部材１０１ａと、ベース部材１０１ａの前面および側面を覆うようにして当該ベース部材１０１ａに取り付けられたカバー部材１０１ｂとを備えており、内部には、図４に示すように、ＬＥＤ（発光素子）１０１ｅが実装されたＬＥＤ基板（発光素子基板）１０１ｆ、静電気防止部材１０１ｇおよびロゴ等が施された透光性を有する装飾シート１０１ｓが設けられている。
上述したＬＥＤ基板１４０が設けられているベース部材１１０は、ＬＥＤ基板１０１ｆが設けられた前側装飾部材１０１より後側に配置されているので、ＬＥＤ基板１０１ｆとＬＥＤ基板１４０とは前後に間隔を設けて配置されている。
【００２５】
カバー部材１０１ｂは透明な樹脂によって形成されており、その前壁は平坦に形成され、外周壁１０１ｄの表面には前後方向に延びる凹凸条が周方向に沿って複数形成され、これら凹凸条の表面に金の蒸着膜が形成されている。また、カバー部材１０１ｂの前壁には後面側から透光性を有する前記装飾シート１０１ｓが密着している。この金の蒸着膜はその裏面側を視認困難な程度の透光性を有している。つまり蒸着膜は半透明となっている。
静電気防止部材１０１ｇは断面略コ字形に形成されており、その外周壁１０１ｊの内側にＬＥＤ基板１０１ｆが配置されている。
ベース部材１０１ａは後方を視認可能な程度の透光性を有する半透明な樹脂によって形成されており、底板１０１ｃとこの底板１０１ｃの外周縁に沿って形成された外周壁１０１ｈとを備え、底板１０１ｃの前面側に前記ＬＥＤ基板１０１ｆが取り付けられている。また、外周壁１０１ｈはカバー部材１０１ｂの外周壁１０１ｄの内側に配置されている。さらに、外周壁１０１ｈの内周面に静電気防止部材１０１ｇの外周壁１０１ｊの外周面が近接または当接している。
【００２６】
また、図３および図５に示すように、ベース部材１０１ａは、その底板１０１ｃの後面に、後方に向けて突出する４本の突出部１０６を有している。４本の突出部１０６は、底板１０１ｃの中央部より外周側に上下左右に所定間隔で配置されている。また、突出部１０６は略截頭円錐筒状に形成されており、先端部側ほど小径なっている。さらに、突出部１０６の先端部１０６ａは一段細い截頭円錐筒状に形成されており、その先端面にはねじ孔１０６ｂが形成されている。この先端部１０６ａはＬＥＤ基板１４０に設けられた貫通部１４０ｂに挿通されるようになっている。また、突出部１０６の長さは、前後に重ね合された複数の透光性装飾部材１０２〜１０５を貫通するに十分な長さとなっている。
【００２７】
また、図３および図４に示すように、ベース部材１０１ａの底板１０１ｃの裏面（後面）には後方に向けて突出する四角形筒状の筒状突出部（筒状通路部）１０７が設けられており、この筒状突出部１０７も突出部１０６と同様に先端部側ほど小径なっている。
また、筒状突出部（筒状通路部）１０７は樹脂によって白色不透明に形成され、当該筒状突出部（筒状通路部）１０７には、前記ＬＥＤ基板１０１ｆの後面に設けられた接続端子１０１ｋに一端部が接続されて後方に向けて延びるハーネス（接続ケーブル）Ｃ１が挿通されている。したがって、筒状突出部（筒状通路部）１０７に挿通されているハーネスＣ１が筒状突出部１０７によって隠されてその外側から見ることはできない。
また、接続端子１０１ｋはＬＥＤ基板１０１ｆの後面の略中央部に設けられ、当該接続端子１０１ｋは筒状突出部１０７の底板１０１ｃ側の開口部に露出している。また、筒状突出部１０７の長さは突出部１０６より若干短くなっているが、ＬＥＤ基板１４０に形成された開口部１４０ｄの開口縁部（ＬＥＤ１４０ａが設けられた側の開口縁部）に達する長さとなっている。
また、図８に示すように、ハーネスＣ１の他端部は、ＬＥＤ基板１４０を貫通して、その後面に設けられた接続端子１４０ｋ１に接続されている。なお、図４および図８においては、ハーネスＣ１を直線にて記載しているが、ハーネスＣ１は電源供給や信号通信に用いられる複数の電線を束ねた構造をなし、その両端部には接続用の接続コネクタが取り付けられている。
【００２８】
このような構成の前側装飾部材１０１では、カバー部材１０１ｂの外周壁１０１ｄの表面が金の蒸着膜によって不透明となっている。また、カバー部材１０１ｂの前面は透明となっているが、このカバー部材１０１ｂの後方に、透光性を有しかつ後方が透けて見えないようになっている装飾シート１０１ｓが設けられ、この装飾シート１０１ｓの後方に不透明なＬＥＤ基板１０１ｆが配置され、さらにその後方に半透明なベース部材１０１ａの底板１０１ｃが配置されている。したがって、前側装飾部材１０１は前方および側方から見て後方が視認困難な程度の透光性を有しており、その後面（ベース部材１０１ａの底板１０１ｃの裏面）に突出部１０６および筒状突出部１０７が設けられているので、これら突出部１０６および筒状突出部１０７は、遊技者から見て前側装飾部材１０１によって視認困難となる。
なお、前側装飾部材１０１を不透明に構成してもよい。このようにすれば、突出部１０６および筒状突出部１０７は、遊技者から見て隠されることになる。
【００２９】
次に、透光性装飾部材１０２〜１０５について説明する。
透光性装飾部材１０２は、図２、図４および図６に示すように、透光性装飾部材１０３〜１０５の少なくとも前面側および上面側を覆うカバー部材であり、樹脂射出成形によって形成され、無色透明となっている。また、透光性装飾部材１０３〜１０５は形状および色が異なるレンズ部材１０３〜１０５である。
透光性装飾部材１０２は全体として横長の形状となっており、その前面の左右方向（横方向）の中央部に前側装飾部材１０１を装着するための装着座１０２ａが設けられている。この装着座１０２ａに前側装飾部材１０１のベース部材１０１ａが設置されている。また、装着座１０２ａの外周部には、周方向に沿って立壁１０２ｂが形成されている。この立壁１０２ｂの先端部に前側装飾部材１０１のカバー部材１０１ｂの外周壁１０１ｄの先端部が係合している。
【００３０】
また、装着座１０２ａには、その略中央部に矩形の開口部１０２ｃが装着座１０２ａを貫通して形成され、開口部１０２ｃより外側の装着座１０２ａには、４つの円形状の挿通孔１０２ｄが装着座１０２ａを貫通して形成されている。開口部１０２ｃおよび４つの挿通孔１０２ｄは、それぞれ装着座１０２ａに設置された前側装飾部材１０１の筒状突出部１０７および４本の突出部１０６と同軸に配置されている。そして、開口部１０２ｃに前側装飾部材１０１の筒状突出部１０７が挿通され、４つの挿通孔１０２ｄにそれぞれ前側装飾部材１０１の突出部１０６が挿通されている。
また、図６に示すように、透光性装飾部材１０２の装着座１０２ａの裏面（後面）には挿通孔１０２ｄの開口縁部の一部から突出する第１当接部１０２ｅが設けられている。
４つの第１当接部１０２ｅのうち上側の２つの第１当接部１０２ｅは、挿通孔１０２ｄの外周縁部の上側の一部分が突出しており、その先端面は下方に向かうにしたがって着座部１０２ａの裏面（後面）に近づくように傾斜している。また、下側の２つの第１当接部１０２ｅは、挿通孔１０２ｄの外周縁部の下側の一部分が突出しており、その先端面は上方に向かうにしたがって着座部１０２ａの裏面（後面）に近づくように傾斜している。
【００３１】
また、透光性装飾部材１０２は、図２に示すように、その装着座１０２ａの周囲の立壁１０２ｂの外面および内面に前後方向に延びる凹凸条が立壁１０２ｂの周方向に複数形成されることで装飾されている。さらに、透光性装飾部材１０２は、その装着座１０２ａの左右外側の部位が横断面凸曲面状に形成されることで装飾されているとともに、アウターレンズとしての機能を有するものとなっている。したがって、レンズ部材である透光性装飾部材１０３〜１０５以外にも透光性装飾部材１０２もレンズ部材として機能するようになっている。
【００３２】
透光性装飾部材１０３は、樹脂射出成形によって形成され、全体が青色透明となっている。この透光性装飾部材１０３は、図２に示すように、全体として横長でかつ、上縁部側と下縁部側が後方に向けて湾曲し、上下方向中央部が前側に向けて湾曲した形状となっている。また、透光性装飾部材１０３の上縁部は左右の中央部を境として、互いに逆方向に斜め上方に突出した炎形状となっており、左右側ほど斜め上方に突出する炎形状の傾きが水平に近づいている。
また、透光性装飾部材１０３の前面には樹脂射出成形によって複数のレンズカット面が形成されている。レンズカット面は透光性装飾部材１０３の厚さ方向に対して様々な角度で傾斜するとともに、上述した炎形状に沿って延在している。
【００３３】
また、図２、図５および図６に示すように、透光性装飾部材１０３の中央部には、４つの挿通孔１１１が透光性装飾部材１０３を貫通して設けられており、当該挿通孔１１１の透光性装飾部材１０３の前面における開口縁部に第１当接部１１１ａが設けられ、裏面（後面）における開口縁部に第１当接部１１１ｂが設けられている。第１当接部１１１ａはその周囲の前面とほぼ面一に設けられ、第１当接部１１１ｂはその周囲の後面より後方に突出している。
透光性装飾部材１０３の前面側の４つの第１当接部１１１ａの先端面は透光性装飾部材１０２の４つの第１当接部１０２ｅの先端面と当接するような面形状となっている。
また、透光性装飾部材１０３の後面側の４つの第１当接部１１１ｂのうち上側の２つの第１当接部１１１ｂは、挿通孔１１１の外周縁部の上側の一部分が突出しており、その先端面は下方に向かうにしたがって透光性装飾部材１０３の後面に近づくように傾斜している。また、下側の２つの第１当接部１１１ｂは、挿通孔１１１の外周縁部の下側の一部分が突出しており、その先端面は上方に向かうにしたがって透光性装飾部材１０３の後面に近づくように傾斜している。
４つの挿通孔１１１は、透光性装飾部材１０２の装着座１０２ａに設けられた４つの挿通孔１０２ｄと同軸に設けられている。挿通孔１１１には前記前側装飾部材１０１の突出部１０６が挿通され、当該突出部１０６は挿通孔１１１の内周面にほぼ密接している。また、挿通孔１１１はストレート状の孔であってもよいし、突出部１０６の外周面に対応させて、先細りとなるテーパ状の孔であってもよい。
【００３４】
また、透光性装飾部材１０３にはその略中央部に矩形状の開口部１１２が透光性装飾部材１０３を貫通して形成されており、この開口部１１２には前記筒状突出部（筒状通路部）１０７が挿通されている。
また、図２および図６に示すように、透光性装飾部材１０３には複数の開口部１１３が透光性装飾部材１０３を貫通して形成されている。これら開口部１１３は透光性装飾部材１０３の後方に配置される透光性装飾部材１０４の一部を透光性装飾部材１０３の前面側に露出させるもので、透光性装飾部材１０３の全域に亘って散在するようにして形成され、様々な形状となっているが、これら複数の開口部１１３によって透光性装飾部材１０３が全体的に炎の形状に形成されている。
また、透光性装飾部材１０３の左右両端部の後面には後方に突出する位置決め用の位置決突起１０３ａ，１０３ａが設けられている。
さらに、透光性装飾部材１０３の左右両端部の前面には、第２当接部１１１ｃ，１１１ｃが設けられ、当該第２当接部１１１ｃ，１１１ｃはその周囲の前面より前方に突出している。
【００３５】
このような構成の透光性装飾部材１０３はその前面をカバー部材である透光性装飾部材１０２の後面側に向けて当該透光性装飾部材１０２の内側に挿入されている。この状態において、透光性装飾部材１０２の後面に設けられている４つの第１当接部１０２ｅが透光性装飾部材１０３の前面に設けられている４つの第１当接部１１１ａに当接するとともに、透光性装飾部材１０３の前面に設けられている第２当接部１１１ｃが透光性装飾部材１０２の裏面（後面）に当接することによって、透光性装飾部材１０２と透光性装飾部材１０３との対向する面間には、第１当接部１０２ｅと第１当接部１１１ａとの当接面および第２当接部１１１ｃと透光性装飾部材１０２の裏面との当接面を除いて、所定の隙間が設けられている。
【００３６】
透光性装飾部材１０４は、樹脂射出成形によって形成され、透明ではないが白色でかつ透光性を有し、さらに透光性装飾部材１０４には光を拡散させるための拡散剤が含まれている。この透光性装飾部材１０４は全体として横長でかつ、上縁部側と下縁部側が後方に向けて湾曲し、上下方向中央部が前側に向けて湾曲した形状となっている。また、透光性装飾部材１０４の上縁部は左右の中央部を境として、互いに逆方向に斜め上方に突出した炎形状となっており、左右側ほど斜め上方に突出する炎形状の傾きが水平に近づいている。
また、透光性装飾部材１０４の前面には樹脂射出成形によって複数のレンズカット面が形成されている。レンズカット面は透光性装飾部材１０４の厚さ方向に対して様々な角度で傾斜するとともに、上述した炎形状に沿って延在している。
また、透光性装飾部材１０４は、透光性装飾部材１０３の後面側に重ね合された状態において、上縁部が透光性装飾部材１０３の上縁部より斜め上方にはみ出しており、正面（前面）側から見た際に透光性装飾部材１０４の上縁部を見ることができるようになっている。
【００３７】
また、図２、図５および図６に示すように、透光性装飾部材１０４の中央部には、４つの挿通孔１２１が透光性装飾部材１０４を貫通して設けられており、当該挿通孔１２１の透光性装飾部材１０４の前面における開口縁部に第１当接部１２１ａが設けられ、裏面（後面）における開口縁部に第１当接部１２１ｂが設けられている。第１当接部１２１ａはその周囲の前面より前方に突出しており、第１当接部１２１ｂはその周囲の後面より後方に突出している。
透光性装飾部材１０４の前面側の４つの第１当接部１２１ａの先端面は透光性装飾部材１０３の４つの第１当接部１１１ｂの先端面と当接するような面形状となっている。
また、透光性装飾部材１０５の後面側の４つの第１当接部１２１ｂのうち上側の２つの当接部１２１ｂは、挿通孔１２１の外周縁部の上側の一部分が突出しており、その先端面は下方に向かうにしたがって透光性装飾部材１０４の後面に近づくように傾斜している。また、下側の２つの第１当接部１２１ｂは、挿通孔１２１の外周縁部の下側の一部分が突出しており、その先端面は上方に向かうにしたがって透光性装飾部材１０４の後面に近づくように傾斜している。
４つの挿通孔１２１は、透光性装飾部材１０３に設けられた４つの挿通孔１１１と同軸に設けられている。挿通孔１２１には前記前側装飾部材１０１の突出部１０６が挿通され、当該突出部１０６は挿通孔１２１の内周面にほぼ密接している。また、挿通孔１２１はストレート状の孔であってもよいし、突出部１０６の外周面に対応させて、先細りとなるテーパ状の孔であってもよい。
【００３８】
また、透光性装飾部材１０４にはその略中央部に矩形状の開口部１２２が透光性装飾部材１０４を貫通して形成されており、この開口部１２２には前記筒状突出部１０７が挿通されている。
また、透光性装飾部材１０４の左右両端部の前面には、第２当接部１２１ｃ，１２１ｃが設けられ、当該第２当接部１２１ｃ，１２１ｃはその周囲の前面より前方に突出している。
また、透光性装飾部材１０４には複数の開口部１２３が形成されている。これら開口部１２３は透光性装飾部材１０４の後方に配置される透光性装飾部材１０５の一部を透光性装飾部材１０４の前面側に露出させるもので、透光性装飾部材１０４の全域に亘って散在するようにして形成され、様々な形状となっている。
さらに、透光性装飾部材１０４の左右両端部の前面には、位置決め用の位置決孔１０４ａ，１０４ａが設けられている。
また、透光性装飾部材１０４の左右両端部の後面には後方に突出する位置決め用の位置決突起１０４ｂ，１０４ｂが設けられている。
【００３９】
このような構成の透光性装飾部材１０４はその前面を透光性装飾部材１０３の後面側に向けて当該透光性装飾部材１０３と重ね合されている。この状態において、透光性装飾部材１０３の後面に設けられている位置決突起１０３ａ，１０３ａが透光性装飾部材１０４の位置決孔１０４ａ，１０４ａに嵌め込まれることによって、透光性装飾部材１０３に対する透光性装飾部材１０４の位置決めがなされている。
また、透光性装飾部材１０４の前面に設けられている４つの第１当接部１２１ａが透光性装飾部材１０３の後面に設けられている４つの第１当接部１１１ｂに当接し、さらに、透光性装飾部材１０４の左右両端部の前面に設けられている第２当接部１２１ｃ，１２１ｃが透光性装飾部材１０３の左右両端部の後面に当接することによって、透光性装飾部材１０３と透光性装飾部材１０４との対向する面間には所定の隙間が設けられている。
また、透光性装飾部材１０３の開口部１１３には透光性装飾部材１０４の一部が露出している。
【００４０】
透光性装飾部材１０５は、樹脂射出成形によって形成され、全体が水色透明または薄い青色透明となっている。この透光性装飾部材１０５は全体として横長でかつ、上縁部側と下縁部側が後方に向けて湾曲し、上下方向中央部が前側に向けて湾曲した形状となっている。
また、透光性装飾部材１０５の前面には樹脂射出成形によって複数のレンズカット面が形成されている。レンズカット面は透光性装飾部材１０５の厚さ方向に対して様々な角度で傾斜するとともに、上述した炎形状に沿って延在している。さらに、透光性装飾部材１０５の後面には樹脂射出成形によって多数の細かいレンズカット面が形成されている。
また、透光性装飾部材１０５は、透光性装飾部材１０４の後面側に重ね合された状態において、上縁部が透光性装飾部材１０４の上縁部より斜め上方にはみ出しており、正面（前面）側から見た際に透光性装飾部材１０５の上縁部を見ることができるようになっている。
【００４１】
また、図２、図５および図６に示すように、透光性装飾部材１０５の中央部には、４つの挿通孔１３１が透光性装飾部材１０５を貫通して設けられており、当該挿通孔１３１の透光性装飾部材１０５の前面における開口縁部に第１当接部１３１ａが設けられ、裏面（後面）における開口縁部に当接部１３１ｂが設けられている。第１当接部１３１ａはその周囲の前面より前方に突出しており、当接部１３１ｂはその周囲の後面より後方に突出している。
透光性装飾部材１０５の前面側の４つの第１当接部１３１ａの先端面は透光性装飾部材１０４の４つの第１当接部１２１ｂの先端面と当接するような面形状となっている。
また、透光性装飾部材１０４の後面側の４つの当接部１３１ｂのうち上側の２つの第１当接部１３１ｂは、挿通孔１３１の外周縁部の上側の一部分が突出しており、その先端面は下方に向かうにしたがって透光性装飾部材１０５の後面に近づくように傾斜している。また、下側の２つの当接部１３１ｂのうち一方は、挿通孔１３１の外周縁部の下側の一部分が突出しており、その先端面は上方に向かうにしたがって透光性装飾部材１０４の後面に近づくように傾斜し、他方は挿通孔１３１の軸と直交する面となっている。
透光性装飾部材１０５の後方には、透光性装飾部材は存在しないため当接部１３１ｂは第１当接部ではない。
４つの挿通孔１３１は、透光性装飾部材１０３に設けられた４つの挿通孔１１１および透光性装飾部材１０４に設けられた４つの挿通孔１２１と同軸に設けられている。挿通孔１３１には前記前側装飾部材１０１の突出部１０６が挿通され、当該突出部１０６は挿通孔１３１の内周面にほぼ密接している。また、挿通孔１３１はストレート状の孔であってもよいし、突出部１０６の外周面に対応させて、先細りとなるテーパ状の孔であってもよい。
【００４２】
また、透光性装飾部材１０５にはその略中央部に矩形状の開口部１３２が透光性装飾部材１０５を貫通して形成されており、この開口部１３２には前記筒状突出部１０７が挿通されている。
さらに、透光性装飾部材１０５の左右両端部の前面には、第２当接部１３１ｃ，１３１ｃが設けられ、当該第２当接部１３１ｃ，１３１ｃはその周囲の前面より前方に突出している。
また、透光性装飾部材１０５には複数の開口部１３３が形成されている。これら開口部１３３は透光性装飾部材１０５の前方に配置される透光性装飾部材１０４の一部を透光性装飾部材１０５の後面側に露出させるもので、透光性装飾部材１０５の全域に亘って散在するようにして形成され、様々な形状となっているが、これら複数の開口部１３３によって全体的に炎の形状が形成されている。
さらに、透光性装飾部材１０５の左右両端部の前面には、位置決め用の位置決溝１０５ａ，１０５ａが設けられている。
【００４３】
このような構成の透光性装飾部材１０５はその前面を透光性装飾部材１０４の後面側に向けて当該透光性装飾部材１０４と重ね合されている。この状態において、透光性装飾部材１０４の後面に設けられている位置決突起１０４ｂ，１０４ｂが透光性装飾部材１０５の前面に設けられている位置決溝１０５ａ，１０５ａに嵌め込まれることによって、透光性装飾部材１０４に対する透光性装飾部材１０５の位置決めがなされている。
また、透光性装飾部材１０５の前面に設けられている４つの第１当接部１３１ａが透光性装飾部材１０４の後面に設けられている４つの第１当接部１２１ｂに当接し、さらに、透光性装飾部材１０５の左右両端部の前面に設けられている第２当接部１３１ｃ，１３１ｃが透光性装飾部材１０４の左右両端部の後面に当接することによって、透光性装飾部材１０４と透光性装飾部材１０５との対向する面間には所定の隙間が設けられている。
また、透光性装飾部材１０５の開口部１３３には透光性装飾部材１０４の一部が露出している。
【００４４】
ベース部材１１０は、樹脂射出成形によって形成され、全体が青色透明となっている。このベース部材１１０は、図７および図５に示すように、複数のＬＥＤ１４０ａが実装されたＬＥＤ基板１４０が取り付けられる取付板部１４１と、この取付板部１４１の左右両側部に設けられた側壁部１４２，１４２と、側壁部１４２，１４２に架け渡された底板部１４３とを備えており、取付板部１４１の前面側にＬＥＤ基板１４０が取り付けられている。
また、底板部１４３の基端部には断面略Ｌ字形の壁部１４４が設けられており、この壁部１４４の上端部は取付板部１４１に接続されている。壁部１４４はベース部材１１０の幅方向（左右方向）に延在しており、当該壁部１４４の表面には細かい溝が多数形成されている。壁部１４４および底板部１４３はＬＥＤ基板１４０より前側に位置しているので、ＬＥＤ１４０ａの光の一部は壁部１４４および底板部１４３に照射されるようになっている。
【００４５】
ＬＥＤ基板１４０には、４つの貫通部１４０ｂが透光性装飾部材１０５の４つの挿通孔１３１とほぼ同軸に形成されている。なお、図７において左下側の貫通部１４０ｂは半長円状の切欠部であり、その他の３つの貫通部１４０ｂは円形の貫通孔である。
また、取付板部１４１には、４つの貫通孔１４１ｄが透光性装飾部材１０５の４つの挿通孔１３１とほぼ同軸に形成され、各貫通孔１４１ｄの内部には円環状の座部１４１ｅが設けられている。また、貫通孔１４１ｄの内径は貫通部１４０ｂの内径より小さくなっている。
さらに、ＬＥＤ基板１４０の略中央部には、略矩形状の開口部１４０ｄがＬＥＤ基板１４０を貫通して形成され、取付板部１４１には開口部１４０ｄに面して当該開口部１４０ｄより大きい開口部１４１ｆ（図８参照）が形成されている。この開口部１４１ｆは筒状突出部（筒状通路部）１０７の基端開口部の他、ＬＥＤ基板１４０の後面に設けられている接続端子１４０ｋ１〜１４０ｋ３を露出させるものである。また、取付板部１４１には、開口部１４１ｆの左右両側に開口部１４１ｇが形成されている。この開口部１４１ｇはＬＥＤ基板１４０の後面に設けられている接続端子１４０ｋ４を露出させるものである。
【００４６】
また、取付板部１４１の上縁部には左右に延在する帯板状の壁部１４１ａ，１４１ｂが設けられている。壁部１４１ａは取付板部１４１の上縁部から前方に突出し、壁部１４１ｂは取付板部１４１の上縁部から上方に突出し、これら壁部１４１ａ，１４１ｂが直角に配置されている。
一方、図２および図５に示すように、透光性装飾部材１０５の上縁部には左右に延在する帯板状の突出板部１０５ｄが設けられている。
また、ベース部材１１０の底板部１４３の先端部には略波形に形成された係合部１４３ａが形成されている。一方、図５および図６に示すように、前記透光性装飾部材１０２の下縁部には、略波形に形成された係合部１０２ｆが形成されている。
そして、ベース部材１１０の係合部１４３ａに透光性装飾部材１０２の係合部１０２ｆが係合され、さらにベース部材１１０の壁部１４１ａより上方側に透光性装飾部材１０５の突出板部１０５ｄが配置され、この突出板部１０５ｄの先端部が壁部１４１ｂに当接している。
【００４７】
このようにして、前後に重ね合された透光性装飾部材１０２〜１０５は、前側装飾部材１０１とベース部材１１０とによって挟み付けられている。
すなわち、透光性装飾部材１０２の装着座１０２ａに装着されている前側装飾部材１０１の４本の突出部１０６は、装着座１０２ａに形成されている４つの挿通孔１０２ｄ、透光性装飾部材１０３に形成されている４つの挿通孔１１１、透光性装飾部材１０４に形成されている４つの挿通孔１２１および透光性装飾部材１０５に形成されている４つの挿通孔１３１に挿通されたうえで、ベース部材１１０に取り付けられているＬＥＤ基板１４０の４つの貫通部１４０ｂに挿通され、さらに、ベース部材１１０の取付板部１４１に形成されている４つの貫通孔１４１ｄに挿入されている。また、突出部１０６の先端部が貫通孔１４１ｄの内側に設けられている座部１４１ｅに当接されている。
そして、ベース部材１１０の背面（後面）側から４本のねじ１５０を４つの貫通孔１４１ｄに挿入したうえで、前側装飾部材１０１の４つの突出部１０６に形成されているねじ孔１０６ｂにねじ込むことによって、ベース部材１１０と前側装飾部材１０１とによって、透光性装飾部材１０２〜１０５が挟み付けられて固定されている。
【００４８】
また、前側装飾部材１０１の筒状突出部（筒状通路部）１０７は、装着座１０２ａに形成されている開口部１０２ｃ、透光性装飾部材１０３に形成されている開口部１１２、透光性装飾部材１０４に形成されている開口部１２２および透光性装飾部材１０５に形成されている開口部１３２に挿通されたうえで、ベース部材１１０に取り付けられているＬＥＤ基板１４０の開口部１４０ｄの開口縁部まで挿通され、筒状突出部１０７の先端部に設けられている係止部１０７ａが開口部１４０ｄの左右両側に形成された切欠部１４０ｅに挿入されて係止している。
そして、筒状突出部（筒状通路部）１０７に挿通されているハーネスＣ１は、図８に示すように、ＬＥＤ基板１４０に形成されている開口部１４０ｄ（図７参照）を貫通して、ＬＥＤ基板１４０の後面に設けられた接続端子１４０ｋ１に接続されている。なお、図８においては、ハーネスＣ１〜Ｃ４を直線にて記載しているが、ハーネスＣ１〜Ｃ４は電源供給や信号通信に用いられる複数の電線を束ねた構造をなし、その両端部には接続用の接続コネクタが取り付けられている。
また、ＬＥＤ基板１４０の後面に設けられた接続端子１４０ｋ２には、ハーネスＣ２の一端部が接続されており、このハーネスＣ２の他端部は遊技機の筐体内に延出され、当該筐体内に設けられた図示しないサブ制御基板（制御基板）に接続されている。そして、このサブ制御基板からハーネスＣ２を介してＬＥＤ基板１４０に電源や制御信号等が供給され、さらにこのＬＥＤ基板１４０からハーネスＣ１を介してＬＥＤ基板１０１ｆに電源や制御信号等が供給されるようになっている。
【００４９】
ベース部材１１０および装飾物１００を有する照明装置３４は、上扉３０（図１参照）の上端部に取り付けられている。すなわち、図１、図９および図１２に示すように、上扉３０の上端部には上扉側取付ベース１６０が取り付けられ、この上扉側取付ベース１６０の前面に取付ベース１６１が取り付けられている。この取付ベース１６１は、取付ベース本体１６２と、この取付ベース本体１６２の左右方向中央部に設けられるベース部材１１０とを備えている。
取付ベース本体１６２の前面の左右両側にそれぞれ複数のＬＥＤ１６３ａが実装されたＬＥＤ基板１６３がその前面を前方に向けて取り付けられている。また、取付ベース本体１６２の前面の左右両側にそれぞれ基板押え部材１６４がＬＥＤ基板１６３に被さるようにして取り付けられ、これによってＬＥＤ基板１６３は取付ベース１６１の前面に固定されている。なお、基板押え部材１６４には、ＬＥＤ１６３ａを前面側に露出するための開口部１６４ａが複数形成されている。
【００５０】
また、ＬＥＤ基板１６３，１６３の後面には、図８に示すように、接続端子１６３ｂ，１６３ｂが設けられており、当該接続端子１６３ｂ，１６３ｂと、ＬＥＤ基板１４０の接続端子１４０ｋ３，１４０ｋ３とがハーネスＣ３によって接続されている。そして、筐体内部のサブ制御基板からハーネスＣ２を介してＬＥＤ基板１４０に電源や制御信号等が供給され、さらにこのＬＥＤ基板１４０からハーネスＣ３を介してＬＥＤ基板１６３に電源や制御信号等が供給されるようになっている。
また、取付ベース本体１６２の裏面（後面）側には、その左右両側にそれぞれスピーカ１６５およびスピーカ１６５を駆動するスピーカ駆動基板１６５ａがＬＥＤ基板１６３の斜め下方側でかつフロントグリル１６２ａの後側に設けられている。各スピーカ駆動基板１６５ａには接続端子１６５ｂが設けられており、当該それぞれの接続端子１６５ｂと、ＬＥＤ基板１４０の接続端子１４０ｋ４，１４０ｋ４とがハーネスＣ４によって接続されている。そして、筐体内部の制御基板からハーネスＣ２を介してＬＥＤ基板１４０に電源や制御信号等が供給され、さらにこのＬＥＤ基板１４０からハーネスＣ４を介してスピーカ駆動基板１６５ａに電源や制御信号等が供給されるようになっている。
このように、ＬＥＤ基板１４０はサブ制御基板からの電源や制御信号等をＬＥＤ基板１０１ｆ、ＬＥＤ基板１６３およびスピーカ駆動基板１６５ａに供給する中継基板となっている。
【００５１】
また、ベース部材１１０は左右の基板押え部材１６４，１６４間において取付ベース本体１６２に取り付けられている。そして、このベース部材１１０と前側装飾部材１０１とによって透光性装飾部材１０２〜１０５（図２参照）が挟み付けられることで、装飾物１００が上扉３０の上端部に取り付けられている。
そして、透光性装飾部材（レンズ部材）１０２〜１０５の左右中央部の部分に、ベース部材１１０に設けられているＬＥＤ基板１４０のＬＥＤ１４０ａから光が照射され、透光性装飾部材（レンズ部材）１０２〜１０５（図２参照）の左右両側部の部分に、取付ベース１６１に設けられているＬＥＤ基板１６３のＬＥＤ１６３ａから光が照射されるようになっている。
【００５２】
図１０は前後に重ね合された透光性装飾部材１０３〜１０５を斜め前方から見た斜視図、図１１は透光性装飾部材１０３〜１０５を斜め後方から見た斜視図であり、透光性装飾部材１０３〜１０５を透光性装飾部材群１３０とする。
図１０に示すように、透光性装飾部材群１３０の上縁部においては、透光性装飾部材１０３の上縁部の後方に透光性装飾部材１０４の上縁部が露出し、透光性装飾部材１０４の上縁部の後方に透光性装飾部材１０５の上縁部が露出している。
また、透光性装飾部材１０３に形成されている開口部１１３には、当該透光性装飾部材１０３の後方に隣り合う透光性装飾部材１０４の一部が露出している。
また、図１１に示すように、透光性装飾部材１０５に形成されている開口部１３３には、当該透光性装飾部材１０５の前方に隣り合う透光性装飾部材１０４の一部が露出している。したがって、前記ＬＥＤ１４０ａ，１６３ａの光は透光性装飾部材１０５の後面に照射されるとともに、透光性装飾部材１０５の開口部１３３を通して透光性装飾部材１０４の一部に直接照射される。
また、図１２に示すように、ベース部材１１０の底板部１４３は照明装置３４の下面側に露出しており、ベース部材１１０は全体が青色透明となっているので、ＬＥＤ１４０ａの光は底板部１４３を青色に光らせる。また、この底板部１４３の前側に存在する透光性装飾部材１０１は透明であり、その内側に前後に重ね合された透光性装飾部材１０３〜１０５が存在し、当該透光性装飾部材１０３〜１０５がＬＥＤ１４０ａ，１６３ａの光によって全体として青色に炎形状に光る。したがって、ベース部材１１０の底板部１４３、透光性装飾部材１０２〜１０５が一体的となって、取付ベース本体１６２からあたかも浮き上がった炎形状となって光るとともに、最前部の前側装飾部材１０１の前面の装飾シート１０１ｓがＬＥＤ１０１ｅ（図４参照）によって光る。
【００５３】
以上のように本実施の形態によれば透光性装飾部材１０２の４つの挿通孔１０２ｄ、透光性装飾部材１０３の４つの挿通孔１１１、透光性装飾部材１０４の４つの挿通孔１２１および透光性装飾部材１０５の４つの挿通孔１３１に、前側装飾部材１０１の裏面（後面）に設けられた４本の突出部１０６が挿通されているので、当該突出部１０６によって、透光性装飾部材１０２〜１０５どうしを容易に連結できるとともに、透光性装飾部材１０２〜１０５の組付けや透光性装飾部材１０２〜１０５の重なり方向と交差する方向の位置決めも容易となる。
【００５４】
また、前後に隣り合う透光性装飾部材１０２，１０３は、前後に対向する第１当接部１０２ｅ，１１１ａどうしが当接されることで、前後に隙間をもった状態で配置され、前後に隣り合う透光性装飾部材１０３，１０４は、前後に対向する第１当接部１１１ｂ，１２１ａどうしが当接されることで前後に隙間をもった状態で配置され、前後に隣り合う透光性装飾部材１０４，１０５は、前後に対向する第１当接部１２１ｂ，１３１ａどうしが当接されることで前後に隙間をもった状態で配置さているので、前後に重ね合された複数（４つ）の透光性装飾部材１０２〜１０５に容易に立体感を持たせることができる。
さらに、前側装飾部材１０１の突出部１０６が挿通される挿通孔１０２ｄ，１１１，１２１，１３１、挿通孔１０２ｄ，１１１，１２１，１３１の開口縁部に設けられた第１当接部１０２ｅ，１１１ａ，１１１ｂ，１２１ａ，１２１ｂ，１３１ａ，１３１ｂおよびこれらに挿通される突出部１０６は前側装飾部材１０１によって遊技機の前方から見て隠されているので、遊技機の見栄えを向上させることができる。
【００５５】
また、前後に隣り合う透光性装飾部材１０２，１０３，１０４，１０５は、前後に対向する第１当接部１０２ｅ，１１１ａどうし、第１当接部１１１ｂ，１２１ａどうし、当接部１２１ｂ，１３１ａどうしが当接されることで、前後に隙間をもった状態で配置されており、透光性装飾部材１０３，１０４，１０５の端部は前後に撓み易くなるが、この端部に設けられている第２当接部１１１ｃ，１２１ｃ，１３１ｃが隣り合う透光性装飾部材１０２，１０３，１０４の端部に当接するので、透光性装飾部材１０３，１０４，１０５の端部の撓みを防止することができる。このため、前後に隣り合う透光性装飾部材１０３，１０４，１０５の端部間の隙間を保持できるので、隙間を設けたことによる立体感を確実に得ることができる。
また、挿通孔１０２ｄ，１１１，１２１，１３１は透光性装飾部材１０２〜１０５の中央部に配置されているので、当該挿通孔１０２ｄ，１１１，１２１，１３１に挿通される突出部１０６によって、透光性装飾部材１０２〜１０５をバランスよく支持できる。
さらに、透光性装飾部材１０３，１０４，１０５の端部に第２当接部１１１ｃ，１２１ｃ，１３１ｃが設けられているので、透光性装飾部材１０３，１０４，１０５の中央部と端部との双方で当該透光性装飾部材１０３，１０４，１０５を支持できるので、さらに、透光性装飾部材１０３，１０４，１０５をバランスよく支持できる。
【００５６】
また、複数の透光性装飾部材１０２〜１０５は、それらの挿通孔１０２ｄ，１１１，１２１，１３１に、前側装飾部材１０１の裏面（後面）に設けられた突出部１０６が挿通され、突出部１０６の先端部がベース部材１１０に取り付けられることで、複数の透光性装飾部材１０２〜１０５が前側装飾部材１０１とベース部材１１０とによって挟み付けられているので、前後に重ね合され複数の透光性装飾部材１０２〜１０５をベース部材１１０に容易に取り付けることができるとともに複数の透光性装飾部材１０２〜１０５の重なり方向と交差する方向の透光性装飾部材１０２〜１０５の位置決めも容易である。
【００５７】
また、ＬＥＤ基板１４０のＬＥＤ１４０ａおよびＬＥＤ基板１６３のＬＥＤ１６３ａの光によって光る装飾物１００が形状および色が異なる複数のレンズ部材（透光性装飾部材）１０２〜１０５を重ね合わせることにより構成されているので、レンズ部材（透光性装飾部材）１０２〜１０５に立体感を持たせたり、複数の色を持たせて装飾性を高めるために、従来と異なり、レンズ部材（透光性装飾部材）１０２〜１０５に後加工を施す必要がない。したがって、製造コストを大きく増加させることなく、発光装置の装飾性を高めることができる。
加えて、前側のＬＥＤ基板１０１ｆのＬＥＤ１０１ｅの光がこのＬＥＤ１０１ｅの前方にある装飾シート１０１ｓに照射されるとともに、後側のＬＥＤ基板１４０のＬＥＤ１４０ａの光が透光性装飾部材１０２〜１０５に照射されるので、照明装置３４の装飾性をより高めることができる。
さらに、レンズ部材（透光性装飾部材）１０３，１０４に、遊技者から見て後側に配置される他のレンズ部材（透光性装飾部材）１０４，１０５を露出させる開口部１１３，１２３が設けられているので、当該開口部１１３，１２３を通して、遊技者から見て後側に配置されるレンズ部材（透光性装飾部材）１０４，１０５を見ることができ、また、遊技者から見て前側に配置されるレンズ部材（透光性装飾部材）１０４の一部に後側に配置されるレンズ部材（透光性装飾部材）１０５の開口部１３３を通してＬＥＤ１４０ａ，１６３ａの光を照射できる。したがって、遊技者はレンズ部材（透光性装飾部材）１０４，１０５の形状や色、さらには光色を認識できるので、さらに照明装置３４の装飾性を高めることができる。
【００５８】
また、ベース部材１１０にＬＥＤ１４０ａを有するＬＥＤ基板１４０が設けられ、取付ベース１６１にＬＥＤ１６３ａを有するＬＥＤ基板１６３が設けられているので、ベース部材１１０および取付ベース１６１の前側において前後に複数重ね合されて設けられているレンズ部材（透光性装飾部材）１０３〜１０６をＬＥＤ１４０ａ，１６３ａの光によって確実に光らせることができる。
また、前側装飾部材１０１の裏面（後面）にある突出部１０６の先端部がＬＥＤ基板１４０の貫通部１４０ｂを貫通してベース部材１１０に取り付けられているので、前側装飾部材１０１に遊技者等から衝撃が加えられても、この衝撃が直接ＬＥＤ基板１４０に作用しない。したがって、この衝撃に起因するＬＥＤ基板１４０の破損等を抑制できる。
【００５９】
また、２枚の発光素子基板１０１ｆ，１４０どうしを接続する接続ケーブルＣ１が筒状突出部（筒状通路部）１０７に挿通されているので、この接続ケーブルＣ１が遊技者から見えてしまうことがないし、筒状突出部（筒状通路部）１０７が不透明な白色であるので、目立ち難い。したがって、照明装置３４の装飾性の低下を抑制できる。
加えて、前側のＬＥＤ基板１０１ｆの後面に接続端子１０１ｋが設けられているので、この接続端子１０１ｋおよび当該接続端子１０１ｋに接続されている接続ケーブルＣ１が遊技者から見えてしまうことがない。したがって、この点においても照明装置３４の装飾性の低下を抑制できる。
また、接続ケーブルが複数本ある場合、これら複数本の接続ケーブルを筒状通路部１０４に挿通することによって、当該複数の接続ケーブルがばらけるのを抑制できる。
【００６０】
また、前側のＬＥＤ基板１０１ｆの後面に接続ケーブルＣ１が接続される接続端子１０１ｋが設けられているので、従来と異なり、後側のＬＥＤ基板１４０に一端部が接続された接続ケーブルＣ１の他端部を前側のＬＥＤ基板１０１ｆの前面側に引き回すことなく、前側のＬＥＤ基板１０１ｆの後方から接続端子１０１ｋに接続できる。したがって、前側のＬＥＤ基板１０１ｆに容易に接続ケーブルＣ１を接続できるとともに当該ＬＥＤ子基板１０１ｆに接続ケーブル挿通用の挿通口を形成する必要がない。
さらに、後側のＬＥＤ基板１４０が中継基板であるので、仮に前側のＬＥＤ基板１０１ｆが中継基板であった場合に比して、接続ケーブルＣ１を前側のＬＥＤ基板１０１ｆおよびその他の部品（ＬＥＤ基板１６３やスピーカ駆動基板１６５ａ）に容易に接続できる。したがって、照明装置３４の組立性を向上させることができる。
【００６１】
なお、本実施の形態では、前後に重ね合される透光性装飾部材として、４つの透光性装飾部材１０２〜１０５を例にとって説明したが、前後に重ね合される透光性装飾部材の数はこれに限ることなく、２つ以上であればよい。
また、本実施の形態では、最も前面側の透光性装飾部材１０２をカバー部材としたが、カバー部材ではない透光性装飾部材であってもよい。
さらに、本実施の形態では、前後に重ね合された装飾部材として、透光性を有する透光性装飾部材１０２〜１０６を例にとって説明したが、装飾部材は不透明であってもよい。
また、各装飾部材をレンズ部材としたが、各装飾部材はレンズ部材でなくてもよい。要は装飾された部材であればよい。
【符号の説明】
【００６２】
１００  装飾物
１０１  前側装飾部材
１０２〜１０５  透光性装飾部材（装飾部材、レンズ部材）
１０６  突出部
１１０  ベース部材
１０２ｄ，１１１，１２１，１３１  挿通孔
１４０  ＬＥＤ基板（基板）
１４０ａ  ＬＥＤ（光源、発光素子）
【図１】
2018201754.tif 000003
【図２】
2018201754.tif 000004
【図３】
2018201754.tif 000005
【図４】
2018201754.tif 000006
【図５】
2018201754.tif 000007
【図６】
2018201754.tif 000008
【図７】
2018201754.tif 000009
【図８】
2018201754.tif 000010
【図９】
2018201754.tif 000011
【図１０】
2018201754.tif 000012
【図１１】
2018201754.tif 000013
【図１２】
2018201754.tif 000014